【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
クライアント端末と、アクセスポイントと、前記クライアント端末と前記アクセスポイントとの間の通信を管理する管理装置と、前記クライアント端末と前記アクセスポイントとの間で通信するためのパラメータ情報を管理する設定制御装置と、を含む通信システムにおいて、
前記管理装置は、
アクセスポイントとアソシエートしているクライアント端末による他のアクセスポイントへのアソシエート先の切替えを、前記設定制御装置に通知する通知手段を有し、
前記設定制御装置は、
前記通知に基づいて、前記他のアクセスポイントと通信するためのパラメータ情報の設定処理に使用される認証情報を、前記クライアント端末へ送信する送信手段を有する
ことを特徴とする通信システム。
【請求項２】
前記送信手段は、前記認証情報と共に、パラメータ情報設定モードへの移行指示を、前記クライアント端末へ送信することを特徴とする請求項１記載の通信システム。
【請求項３】
前記クライアント端末は、
前記送信手段により送信された認証情報を用いて、前記設定制御装置との間で前記他のアクセスポイントと通信するためのパラメータ情報の設定処理を行う設定手段と、
前記設定手段により設定されたパラメータ情報に基づいて、前記他のアクセスポイントとのアソシエートを行う接続制御手段と
を有することを特徴とする請求項１記載の通信システム。
【請求項４】
前記管理装置は、
各アクセスポイントの処理負荷を管理する管理手段を更に有し、
前記通知手段は、前記管理手段により管理される前記アクセスポイントの処理負荷と前記他のアクセスポイントの処理負荷とに基づいて、前記クライアント端末による前記アクセスポイントから前記他のアクセスポイントへのアソシエート先の切替えを、前記設定制御装置へ通知することを特徴とする請求項１記載の通信システム。
【請求項５】
前記クライアント端末は、
ストリーミングデータ通信に使用する通信リソースの確保を要求するためのセッション設定要求を送信する要求手段を有し、
前記管理装置は、
確保を要求された前記通信リソースを、前記クライアント端末がアソシエートしている前記アクセスポイントにおいて提供可能か否かを判定する判定手段と、
前記判定手段により前記アクセスポイントにおいて前記通信リソースを提供できないと判定された場合に、前記通信リソースの提供が可能な他のアクセスポイントを検出する検出手段と、を更に有し、
前記通知手段は、前記検出手段により検出された他のアクセスポイントへのアソシエート先の切替えを、前記設定制御装置へ通知することを特徴とする請求項１記載の通信システム。
【請求項６】
前記管理装置は、
前記検出手段により、前記通信リソースの提供が可能な他のアクセスポイントが検出されなかった場合に、前記セッション設定要求に対する応答として、前記セッション設定に失敗したことを示す情報を、前記クライアント端末へ送信する応答手段を更に有することを特徴とする請求項５記載の通信システム。
【請求項７】
前記クライアント端末は、
ストリーミング通信に使用していた通信リソースの解除を要求するためのセッション解除要求を送信する要求手段を有し、
前記管理装置は、
前記クライアント端末からの前記セッション解除要求に応じて、前記クライアント端末がアソシエートしている前記アクセスポイントにおいて提供可能な通信リソースと、他のアクセスポイントにおいて提供可能な通信リソースと、の大小関係を判定する判定手段を更に有し、
前記通知手段は、前記判定手段による判定結果に基づいて、前記アクセスポイントにおいて提供可能な通信リソースよりも提供可能な通信リソースの大きい他のアクセスポイントへのアソシエート先の切替えを、前記設定制御装置へ通知することを特徴とする請求項１記載の通信システム。
【請求項８】
前記クライアント端末は、
ストリーミングデータ通信に使用する通信リソースの確保を要求するためのセッション設定要求を送信する要求手段を有し、
前記管理装置は、
確保を要求された前記通信リソースを、前記クライアント端末がアソシエートしている前記アクセスポイントにおいて提供可能か否かを判定する判定手段と、
前記判定手段により前記アクセスポイントにおいて前記通信リソースを提供できないと判定された場合に、前記アクセスポイントにアソシエートしている他のクライアント端末であって、アクセスポイントとしての機能を有しているデュアル端末を検出する検出手段と、を更に有し、
前記通知手段は、前記検出手段により検出された前記デュアル端末へのアソシエート先の切替えを、前記設定制御装置へ通知することを特徴とする請求項１記載の通信システム。
【請求項９】
前記管理装置は、
前記検出手段により、前記デュアル端末が検出されなかった場合に、前記セッション設定要求に対する応答として、前記セッション設定に失敗したことを示す情報を、前記クライアント端末へ送信する応答手段を更に有することを特徴とする請求項８記載の通信システム。
【請求項１０】
クライアント端末とアクセスポイントとの間の通信のためのパラメータ情報を管理する設定制御装置であって、
アクセスポイントとアソシエートしているクライアント端末による他のアクセスポイントへのアソシエート先の切替えを判定する判定手段と、
前記判定に基づいて、前記他のアクセスポイントと通信するためのパラメータ情報の設定処理に使用される認証情報を、前記クライアント端末へ送信する送信手段と
を有することを特徴とする設定制御装置。
【請求項１１】
クライアント端末と、アクセスポイントと、前記クライアント端末と前記アクセスポイントとの間の通信を管理する管理装置と、前記クライアント端末と前記アクセスポイントとの間で通信するためのパラメータ情報を管理する設定制御装置と、を含む通信システムの制御方法において、
前記管理装置は、
アクセスポイントとアソシエートしているクライアント端末による他のアクセスポイントへのアソシエート先の切替えを、前記設定制御装置に通知し、
前記設定制御装置は、
前記通知に基づいて、前記他のアクセスポイントと通信するためのパラメータ情報の設定処理に使用される認証情報を、前記クライアント端末へ送信する
ことを特徴とする制御方法。
【請求項１２】
クライアント端末とアクセスポイントとの間の通信のためのパラメータ情報を管理する設定制御装置の制御方法であって、
アクセスポイントとアソシエートしているクライアント端末による他のアクセスポイントへのアソシエート先の切替えを判定し、
前記判定に基づいて、前記他のアクセスポイントと通信するためのパラメータ情報の設定処理に使用される認証情報を、前記クライアント端末へ送信する
ことを特徴とする制御方法。
【請求項１３】
請求項１２に記載の制御方法をコンピュータに実行させるためのプログラムが格納された記憶媒体。
【手続補正２】
【補正対象書類名】明細書
【補正対象項目名】発明の名称
【補正方法】変更
【補正の内容】
【発明の名称】通信システム、設定制御装置及び制御方法
【手続補正３】
【補正対象書類名】明細書
【補正対象項目名】００１１
【補正方法】変更
【補正の内容】
【００１１】
上記の目的を達成するために本発明に係る通信システムは以下のような構成を備える。即ち、
クライアント端末と、アクセスポイントと、前記クライアント端末と前記アクセスポイントとの間の通信を管理する管理装置と、前記クライアント端末と前記アクセスポイントとの間で通信するためのパラメータ情報を管理する設定制御装置と、を含む通信システムにおいて、
前記管理装置は、
アクセスポイントとアソシエートしているクライアント端末による他のアクセスポイントへのアソシエート先の切替えを、前記設定制御装置に通知する通知手段を有し、
前記設定制御装置は、
前記通知に基づいて、前記他のアクセスポイントと通信するためのパラメータ情報の設定処理に使用される認証情報を、前記クライアント端末へ送信する送信手段を有することを特徴とする。